(57)【要約】【課題】地震や水害等の発生によって飲料水が確保できなくなった場合、近くにある風呂水や川の水や雨水等の汚れ水を浄水して綺麗な飲料水を簡単に作ることができる防災用具として好適な携行用浄水器を提供することにある。【解決手段】この発明の携行用浄水器は、水入れ容器として使用可能な防水型のケース本体２と、該ケース本体２に開閉可能に設けられた蓋体３とからなる携行ケース１を備え、この携行ケース１の蓋体３内に風呂水、川の水、雨水等の汚れ水を浄水して飲料水を作る濾過装置１０を装備する共に、前記ケース本体２に該本体内に入れた汚れ水を吸い上げて前記濾過装置１０に送水するポンプユニット２０を収納したことを特徴とする。【選択図】  図３
2006051428.tif 000002
【特許請求の範囲】
【請求項１】
水入れ容器として使用可能な防水型のケース本体と、該ケース本体に開閉可能に設けられた蓋体とからなる携行ケースを備え、この携行ケースの蓋体内に風呂水、川の水、雨水等の汚れ水を浄水して飲料水を作る濾過装置を装備する共に、前記ケース本体に該本体内に入れた汚れ水を吸い上げて前記濾過装置に送水するポンプユニットを収納したことを特徴とする携行用浄水器。
【請求項２】
前記ポンプユニットはケース本体内に収納可能なポンプ台と、このポンプ台に装着した手押しポンプとからなり、平時は手押しポンプの手動操作レバー及び連動レバーをポンプ本体から取り外した状態でケース本体内に横倒し状態に格納され、ポンプ使用時には前記ポンプユニットをケース本体の開蓋開口部上方へポンプ突出する起立状態に変向セットし、取り外した手動操作レバー及び連動レバーをポンプ本体に取付けて使用するようにしたことを特徴とする請求項１に記載の携行用浄水器。
【請求項３】
前記濾過装置がポンプ送水口と可撓性のある送水管を介して接続された第１の濾過器と、この第１の濾過器に通水可能に接続された第２の濾過器と、飲料水注出管及びドレン排出管を有し前記第２の濾過器に通水可能に接続された第３の濾過器とを具備し、前記第１の濾過器が微粒子の除去機能を有するフィルター内蔵濾過器であり、前記第２の濾過器が臭いと塩素の除去機能を有するフィルター内蔵濾過器であり、前記第３の濾過器が微細な細菌類の除去機能を有するフィルター内蔵濾過器であることを特徴とする請求項１に記載の携行用浄水器。
【発明の詳細な説明】
【技術分野】
【０００１】
この発明は一般家庭等に設置して使用する携行用浄水器に関し、特に地震や水害等の非常時において使用する防災用具、並びにキャンプ等のアウトドア用具としての携行用浄水器に関するものである。
【背景技術】
【０００２】
従来、地震や水害等の非常時において必要な飲料水をポリタンク等の密閉容器に収容して保存しておくことは一般に行われている。  
【発明の開示】
【発明が解決しようとする課題】
【０００３】
しかし、地震や水害等の発生を予測することは困難であるから、飲料水をポリタンク等の密閉容器に予め貯め水として確保し、それが飲料不能とならないように定期的に入れ替えて保存しなければならず、その作業が面倒であり維持費も高くなって経済的にも不利であるという問題があった。
【０００４】
この発明は、前記事情に着目してなされたもので、その第１の目的は、地震や水害等の発生によって飲料水が確保できなくなった場合、近くにある風呂水や川の水や雨水等の汚れ水を浄水して綺麗な飲料水を簡単に作ることができる防災用具として好適な携行用浄水器を提供することにある。
【０００５】
また、この発明の第２の目的は、地震や水害等の発生によって送電停止となった場合でも、手動操作によってポンプ作動して飲料水を簡単に作ることができる防災用具として好適な携行用浄水器を提供することにある。
【０００６】
この発明の第３の目的は、浄水すべき汚れ水が泥水のような汚れの酷いものであっても、それを綺麗に浄水し水質レベルの高い飲料水を確保することができる防災用具として好適な携行用浄水器を提供することにある。
【課題を解決するための手段】
【０００７】
この発明は、前記第１の目的を達成するために、請求項１の携行用浄水器は、水入れ容器として使用可能な防水型のケース本体と、該ケース本体に開閉可能に設けられた蓋体とからなる携行ケースを備え、この携行ケースの蓋体内に風呂水、川の水、雨水等の汚れ水を浄水して飲料水を作る濾過装置を装備する共に、前記ケース本体に該本体内に入れた汚れ水を吸い上げて前記濾過装置に送水するポンプユニットを収納したことを特徴とする。
【０００８】
前記第２の目的を達成するために、請求項２の携行用浄水器は、前記ポンプユニットをケース本体内に収納可能なポンプ台と、このポンプ台に装着した手押しポンプとから構成し、このポンプユニットを平時は手押しポンプの手動操作レバー及び連動レバーをポンプ本体から取り外した状態でケース本体内に横倒し状態に格納し、ポンプ使用時には前記ポンプユニットをケース本体の開蓋開口部上方へポンプ突出する起立状態に変向セットし、取り外した手動操作レバー及び連動レバーをポンプ本体に取付けて使用するようにしたことを特徴とする。
【０００９】
前記第３の目的を達成するために、請求項3の携行用浄水器は、前記濾過装置がポンプ送水口と可撓性のある送水管を介して接続された第１の濾過器と、この第１の濾過器に通水可能に接続された第２の濾過器と、飲料水注出管及びドレン排出管を有し前記第２の濾過器に通水可能に接続された第３の濾過器とから構成され、前記第１の濾過器を微粒子の除去機能を有するフィルター内蔵濾過器とし、前記第２の濾過器を臭いと塩素の除去機能を有するフィルター内蔵濾過器とし、前記第３の濾過器を微細な細菌類の除去機能を有するフィルター内蔵濾過器としたことを特徴とする。
【発明の効果】
【００１０】
この発明に請求項１に係る携行用浄水器によれば、地震や水害等の発生によって飲料水が確保できなくなった場合、近くにある風呂水や川の水や雨水等の汚れ水を浄水して綺麗な飲料水を簡単に作ることができ、従来のように地震や水害等に備えて飲料水を確保しておく必要がなく経済的であるという効果を奏する。また、ケース本体を水入れ容器として使用可能な防水型としたことにより、ポンプ使用時に必要なポンプ揚水用の水入れ容器を別に用意する必要がなく、防災用具としての利便性が向上するという効果も奏する。
【００１１】
また、請求項２に係る携行用浄水器によれば、前記のような効果に付加して、地震や水害等の発生によって送電停止となった場合でも、手押しポンプを手動操作によってポンプ作動して飲料水を簡単に作ることができるという効果を奏する。
【００１２】
更に、請求項３に係る携行用浄水器によれば、請求項１の効果に付加して、浄水すべき汚れ水が泥水のような汚れの酷いものであっても、それを綺麗に浄水し、水中の微粒子と臭いや塩素と微細な細菌類を完全に除去した水質レベルの高い飲料水を得ることができるという効果を奏する。
【発明を実施するための最良の形態】
【００１３】
以下、この発明の実施の形態を図面に従い具体的に説明する。図１及び図２はこの発明の携行用浄水器をケース閉合の携行状態で示した構成説明図、図３乃至図５は前記携行用浄水器をケース開蓋状態で示した構成説明図、図６乃至図８は携行用浄水器の使用状態を示す構成説明図である。
【００１４】
図中１は水入れ容器として使用可能な防水型のケース本体２と、該ケース本体２に開閉可能に蝶着された密閉型の蓋体３とからなる縦長形状の携行ケースで、この携行ケース１のケース底面となる本体一端面及び蓋体一端面には複数個の接床足２ａ，３ａが設けられ、前記ケース本体２の蓋体３の閉合側とは反対側の底面にも複数個の接床足２ｂが設けられていると共に、前記ケース１の上面（接床足２ａ，３ａが設けられる側と反対側の面）には蓋閉合掛止手段４とケース携行用の取手５が設けられている。なお、前記蓋体２は携行ケース１の図１のような設置状態で蓋閉合掛止手段４を外して開蓋すると、ケース本体２に対して略９０度の角度範囲で開放して図４のような状態に起立保持されるようになっている。
【００１５】
１０は風呂水、川の水、雨水、泥水等の汚れ水を浄水して飲料水を作る濾過装置で、前記携行ケース１の蓋体３内に図５の如く装備されている。この濾過装置１０は、この実施態様の場合、後述するポンプ送水口２６と可撓性のある送水管６を介して図７、図８の如く接続された第１の濾過器１１と、この第１の濾過器１１に通水可能に接続された第２の濾過器１２と、可撓性のある飲料水注出管１４及びドレン排出管１５を有し前記第２の濾過器１２に通水可能に接続された第３の濾過器１３とから構成されている。
【００１６】
更に説明すれば、前記第１の濾過器１１は上端給水口１１ａ（送水管６が接続される）と下端排水口１１ｂを有し、第２の濾過器１２は下端給水口１２ａと上端排水口１２ｂを有し、第３の濾過器１３は上端給水口１３ａと下端浄水口１３ｂ及び下端ドレン口１３ｃを有する（図５参照）。そして、第１濾過器１１の下端排水口１１ｂと第２濾過器１２の下端給水口１２ａが通水下部配管１６を介して図５の如く直列接続され、第２濾過器１２の上端排水口１２ｂと第３濾過器１３の上端給水口１３ａとが通水上部配管１７を介して図５の如く直列接続されており、この第３濾過器１３の下端浄水口１３ｂに可撓性のある飲料水注出管１４が接続されていると共に、第３濾過器１３の下端ドレン口１３ｃに可撓性のあるドレン排出管１５が接続されている。
【００１７】
前記第１の濾過器１１は１ミクロン以上の水中微粒子を除去し得る機能を有したポリプロピレン系のフィルターセグメント（図示せず）を内蔵する濾過器であり、前記第２の濾過器１２は臭いと塩素の除去機能を有するカーボン固化フィルター（図示せず）を内蔵した濾過器であり、前記第３の濾過器１３は０．０００１ミクロン以上の微細なウィルスや細菌を除去し得る機能を有した逆浸透膜フィルター（図示せず）を内蔵する濾過器であって、この各濾過器１１〜１３は図５のような隣接接続の並設状態でケース蓋体３内に脱落しないように止着して装備されている。なお、前記濾過装置１０は前記のような３本濾過器１１〜１３で構成する実施例に限定されるものではなく、前記３本濾過器１１〜１３で奏し得る機能と同様な濾過機能を有する一個の濾過器として構成することも可能である。
【００１８】
２０は、前記ケース本体２に収納され該本体２内に入れた汚れ水を吸い上げて濾過装置１０に送水するポンプユニットで、この実施例の場合にはケース本体２内に収納可能なポンプ台２１と、このポンプ台２１に装着した手押しポンプＰとから構成されている。前記ポンプ台２１は台板２２と該台板の両端に取付けた脚板２３，２４とからなる図３に示すような門形状をなし、前記台板２２の幅はケース本体２の深さと略同一に形成され、前記脚板２３，２４の脚長はケース本体２の深さと略同一に設定されて、ケース本体２内に図３に示すような横倒し状態で本体開口部に突出しないように出し入れ可能に収容されるようになっている。
【００１９】
前記手押しポンプＰは、ポンプ送水口２６（図７、図８明示）及びポンプ台板２２下に図３に示す如く突出する汚水吸上げ口２７を有し前記台板２２に固定されるポンプ本体２５と、このポンプ本体２５のピストン杆２８に着脱可能に蝶ナット等の止め具を用いて枢支止着される手動操作レバー２９と、前記ポンプ本体２５の外周ブラケット部に着脱可能に蝶ナット等の止め具を用いて一端が枢支止着され他端が手動操作レバー２９の先端部に枢支される連動レバー３０と、送水圧力を計測する圧力計３１とを具備する構成とされている。
【００２０】
そして、平時（前記ケース１内への格納保管時）においては手押しポンプＰの手動操作レバー２９及び連動レバー３０をポンプ本体２５から取り外した状態とし、このレバー取外し状態でポンプユニット２０をケース本体２内に図３の如く横倒し状態に格納し、取外したケース本体２内に図３の如き状態に格納して、携行ケース１の図１に示すような閉合状態で防災用具として保管しておく。
【００２１】
また、飲料水が必要な非常時（ポンプ使用時）においては、携行ケース１を図４に示すように開放し、このケース開放状態でポンプユニット２０をケース本体２内から取り出して開蓋開口部上方へポンプ突出する図７のような起立状態に変向セットし、取外し保管されている手動操作レバー２９及び連動レバー３０をポンプ本体２５に取付けて使用する。
【００２２】
この使用に際しては、身近にある風呂水や川の水や雨水等の汚れ水をバケツ等で汲んできて、ケース本体２内に満杯近くまで入れた状態とし、この注水状態で手押しポンプＰの操作レバー２９を手押し操作して、ケース本体２内の汚れ水を揚水し、濾過装置１０に通水して濾過するという使い方をなす。図８に示す符号８はドレン排出管１５の管端に取付けたドレン排出口、９は飲料水注出管１４から注出される飲料水を収容するペットボトルのような飲料水容器である。
【００２３】
前記実施例はポンプユニット２０をケース本体２内に収納可能なポンプ台２１と、このポンプ台２１に装着した手押しポンプＰとから構成した場合について説明したが、この手押しポンプＰに代えて電動ポンプを適用することも可能である。このような電動ポンプを用いても、電気がきていて飲料水のない場所で使用する場合には適用可能である。また、この発明の携行用浄水器は、防災用具としての使用に限定されるものではなく、野山や海などに携行して使用するアウトドア用品としても適用することができる。
【００２４】
なお、この発明は前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００２５】
【図１】この発明の携行用浄水器をケース閉合の携行状態で示した正面図。
【図２】図１を右側から見た側面図
【図３】前記携行用浄水器をケース開蓋状態で示した平面図。
【図４】同ケース開蓋状態の正面図。
【図５】同ケース開蓋状態の右側面図。
【図６】前記携行用浄水器を使用状態で示した平面図。
【図７】同使用状態の正面図。
【図８】同使用状態の右側面図。
【符号の説明】
【００２６】
１…携行ケース、２…ケース本体、３…蓋体、４…蓋閉合掛止手段、５…ケース携行用の取手、６…送水管、１０…濾過装置、１１…第１の濾過器、１２…第２の濾過器、１３…第３の濾過器、１４…飲料水注出管、１５…ドレン排出管、２０…ポンプユニット、２１…ポンプ台、Ｐ…手押しポンプ、２５…ポンプ本体、２６…ポンプ送水口、２７…汚水吸上げ口、２９…手動操作レバー、３０…連動レバー。
【図１】
2006051428.tif 000003
【図２】
2006051428.tif 000004
【図３】
2006051428.tif 000005
【図４】
2006051428.tif 000006
【図５】
2006051428.tif 000007
【図６】
2006051428.tif 000008
【図７】
2006051428.tif 000009
【図８】
2006051428.tif 000010